(57)【要約】【課題】  持ちやすく操作性の高い撮像装置を提供すること。【解決手段】  レンズとビューファインダーを具備するカメラ部と、記録媒体を具備する記録部とから成る撮像装置であって、該記録部は装着ベルトと一体の構成を有し、該装着ベルトによって前記カメラ部と結合している。【選択図】  図１
2006109056.tif 000002
【特許請求の範囲】
【請求項１】
レンズとビューファインダーを具備するカメラ部と、記録媒体を具備する記録部とから成る撮像装置であって、該記録部は装着ベルトと一体の構造を有し、該装着ベルトによって前記カメラ部と結合していることを特徴とする装置。
【請求項２】
前記装着ベルトは、使用者の手に該装置を固定するグリップベルトであることを特徴とする装置。
【請求項３】
前記記録部は前記グリップベルトによって使用者の手の甲側に装着することを特徴とする装置。
【請求項４】
前記カメラ部は前記グリップベルトによって使用者の手の平側に装着することを特徴とする装置。
【請求項５】
前記装着ベルトは、使用者の体に該装置を吊り下げるストラップベルトであることを特徴とする装置。
【請求項６】
前記記録部と前記カメラ部の間の通信は装着ベルト内の配線によって行われることを特徴とする装置。
【請求項７】
前記記録部と前記カメラ部の間の通信は無線によって行われることを特徴とする装置。
【請求項８】
前記記録部は前記カメラ部から取り外して分離できることを特徴とする装置。
【請求項９】
前記カメラ部は第2の記録媒体を更に具備することを特徴とする装置。
【請求項１０】
前記カメラ部はマイクを更に具備することを特徴とする装置。
【請求項１１】
前記カメラ部は撮影操作ボタンを更に具備することを特徴とする装置。
【請求項１２】
前記記録媒体は円盤状媒体であることを特徴とする装置。
【請求項１３】
前記記録媒体はテープ媒体であることを特徴とする装置。
【請求項１４】
前記記録媒体はメモリ媒体であることを特徴とする装置。
【発明の詳細な説明】
【技術分野】
【０００１】
本発明は、映像を撮影する撮像装置に関するものである。
【背景技術】
【０００２】
近年、デジタル信号処理技術の進歩により、動画像や静止画像、音声等、大量のデジタル情報を高能率符号化し、小型磁気媒体への記録や通信媒体への伝送を行なうことが可能となっている。このような技術を応用し、 容易に高品位な映像を撮影して即座に情報媒体へ出力できる撮像装置の開発が行われている。
【０００３】
特に昨今、DVDなど円盤状の記録媒体（以降ディスク）を用いた撮像装置が製品化されている。ディスクを媒体とする従来の撮像装置は、特許文献１に記載されている。
【特許文献１】特開２００１−１１１８７７号公報
【発明の開示】
【発明が解決しようとする課題】
【０００４】
ディスクは旧来のカセットテープに比べ厚みが薄く、撮像装置自体も薄型にすることができるが、その反面、直径が8cm程度とカセットテープの長辺よりも大幅に長く、撮像装置の外形に対する影響が大きい。そのため、ディスクを媒体とする従来の撮像装置は、特許文献１に記載のように、ディスクを格納する記録部を抱えて持つような構成であった。ディスクは8cm程度の直径を有するため、それを格納する記録部の長辺も長くなり、使用者が抱えて握るには、大き過ぎて持ちづらかった。また、旧来のカセットテープを用いる撮像装置で一般的な縦型のカメラデザインも、ディスクの外形が障害となり、十分な操作性を有する装置として実現することが困難であった。
【０００５】
こうした背景において本発明の目的は、使用者が持ちやすく操作性の高い撮像装置を提供することである。
【課題を解決するための手段】
【０００６】
上述の目的を達成するため、本発明における撮像装置は、レンズとビューファインダーを具備するカメラ部と、記録媒体を具備する記録部とから成る撮像装置であって、該記録部は装着ベルトと一体の構造を有し、該装着ベルトによって前記カメラ部と結合している構成とした。
【０００７】
本発明の好適な一様態によれば、前記装着ベルトは、使用者の手に該装置を固定するグリップベルトである。
【０００８】
本発明の好適な一様態によれば、前記記録部は前記グリップベルトによって使用者の手の甲側に装着する。
【０００９】
本発明の好適な一様態によれば、前記カメラ部は前記グリップベルトによって使用者の手の平側に装着する。
【００１０】
本発明の好適な一様態によれば、前記装着ベルトは、使用者の体に該装置を吊り下げるストラップベルトである。
【００１１】
本発明の好適な一様態によれば、前記記録部と前記カメラ部の間の通信は装着ベルト内の配線によって行われる。
【００１２】
本発明の好適な一様態によれば、前記記録部と前記カメラ部の間の通信は無線によって行われることを特徴とする装置。
【００１３】
本発明の好適な一様態によれば、前記記録部は前記カメラ部から取り外して分離できる。
【００１４】
本発明の好適な一様態によれば、前記カメラ部は第２の記録媒体を更に有する。
【００１５】
本発明の好適な一様態によれば、前記カメラ部はマイクを更に有する。
【００１６】
本発明の好適な一様態によれば、前記カメラ部は撮影操作ボタンを更に有する。
【００１７】
本発明の好適な一様態によれば、前記記録媒体は円盤状媒体である。
【００１８】
本発明の好適な一様態によれば、前記記録媒体はテープ媒体である。
【００１９】
本発明の好適な一様態によれば、前記記録媒体はメモリ媒体である。
【００２０】
このような構成は、記録部を抱えて掴まないため、使用者にとって持ちやすく操作性の高い撮像装置を提供できる。
【発明の効果】
【００２１】
以上説明したように、本発明における撮像装置は、レンズとビューファインダーを具備するカメラ部と、記録媒体を具備する記録部とから成る撮像装置であって、該記録部はグリップベルトと一体の構造を有し、グリップベルトによって前記カメラ部と結合している構成とした。
【００２２】
このような構成は、記録部を抱えて持つ必要がないため、使用者が持ちやすく操作性の高い撮像装置を提供できる。
【発明を実施するための最良の形態】
【００２３】
以下、本発明の実施形態について図面を参照して説明する。
【００２４】
（第一の実施形態）
図１〜４は本発明の第一の実施形態を示している。図１は第一の実施形態の前方からの斜視図である。図２は第一の実施形態の後方からの斜視図である。図３は第一の実施形態の上面図である。図１〜３において、１はカメラ部、２は記録部、３はレンズ、４はビューファインダー、５はマイク、６はグリップベルト、７は記録ボタン、８はズームレバーである。
【００２５】
本実施例に係る撮像装置は図が示すように、大きく分けてカメラ部１と記録部２の２つから構成されている。カメラ部１は、レンズ３、ビューファインダー４、マイク５、記録ボタン７、ズームレバー８を有している。一方、記録部２は、グリップベルト６と一体に形成されており、該ベルト６を介して前記カメラ部１と結合している。
【００２６】
図４は、該装置を使用者が手でつかんだ状態を示す背面図である。記録部２は使用者の手の甲側に装着される。また、カメラ部１は使用者の手の平側に装着される。記録部２は図４に示すように開閉し記録媒体９を格納および取り出しできる。本実施例では記録媒体として8cmディスクを例として取り上げる。
【００２７】
記録媒体９の直径が8cmなので、それを格納する記録部２の長辺は8cmを越えてしまい、抱えて持つには大き過ぎて使いづらかった。しかし、本発明によれば、記録部を使用者の手の甲側にグリップベルトで装着することで、持ちやすい撮像装置を実現できる。つまり、カメラ部から記録部を分けることで、カメラ部をコンパクトにすることができ、ホールド性やデザイン性に優れた撮像装置を提供できる。
【００２８】
さらに、図４が示すように、本実施例による撮像装置は、グリップベルトに手を通したまま、すなわち撮影時の持ち方のままで記録媒体の交換操作が可能である。旧来の記録部を抱え持つ構成の装置では、記録媒体の交換には一旦グリップベルトから手を外す必要があった。このような操作性の向上も本発明が実現するものである。
【００２９】
なお本実施例では、記録媒体９として8cmディスクを例示したが、12cmや5cmのディスクでも、あるいはカセットテープやメモリであっても本発明の範疇である。さらに、本実施例では記録媒体９は記録部２から着脱可能であるが、ハードディスク等、取り出せない内蔵式の記録媒体も本発明に含まれる。
【００３０】
カメラ部１で撮影された映像信号は、グリップベルト６内に配線されたケーブルを通って記録部２に伝送される。記録部２は、該記録信号を記録媒体９に記録する。
【００３１】
（第二の実施形態）
図５は本発明の第二の実施形態を示している。図５において、１はカメラ部、２は記録部、３はレンズ、４はビューファインダー、５はマイク、６はグリップベルト、７は記録ボタン、８はズームレバーである。これらは、上述した第一の実施形態と同様に構成される。本実施形態は、無線通信部１０および１１を更に有する。
【００３２】
カメラ部１で撮影された映像信号は、カメラ部１に具備された無線通信部１０から送信され、記録部２に具備された無線通信部１１によって受信される。記録部２は、該記録信号を記録媒体に記録する。
【００３３】
カメラ部１と記録部２の間は無線通信であるので、記録部２をカメラ部から取り外して、使用者の腕や腰に装着したり、使用者の首や腕からぶら下げたり、ポケットに入れたりした状態で撮影することができる。本実施形態が示すように、本発明によれば、媒体の形状の影響を少なく抑え、コンパクトで好適なデザインのカメラを実現できる。
【００３４】
（第三の実施形態）
図６、７は本発明の第三の実施形態を示している。図６は第三の実施形態の正面図である。図７は第三の実施形態の背面図である。図６、７において１はカメラ部、２は記録部、３はレンズ、４はビューファインダー、５はマイク、６はグリップベルト、７は記録ボタン、８はズームレバーである。これらは、上述した第一および第二の実施形態と同様に構成される。本実施形態では、カメラ部は第二の記録媒体１２を内部に格納する。
【００３５】
図７は、記録部２がグリップベルト６とともに、カメラ部１から切り離し可能であることを示している。記録部２がカメラ部と結合した状態では、大容量の第一の記録媒体に動画を記録可能なビデオカメラとして機能し、記録部を切り離した状態では、第二の記録媒体に静止画を記録可能なスチルカメラとして機能する。このように、比較的大きな記録部２をグリップベルトとともに分離可能とすることで、可搬性や操作性を利用用途に適応化できる。
【図面の簡単な説明】
【００３６】
【図１】本発明による第一の構成例の前方からの斜視図である。
【図２】本発明による第一の構成例の後方からの斜視図である。
【図３】本発明による第一の構成例の上面図である。
【図４】本発明による第一の構成例の背面図である。
【図５】本発明による第二の構成例の斜視図である。
【図６】本発明による第二の構成例の正面図である。
【図７】本発明による第二の構成例の背面図である。
【符号の説明】
【００３７】
１  カメラ部
２  記録部
３  レンズ
４  ビューファインダー
５  マイク
６  グリップベルト
７  記録ボタン
８  ズームレバー
９  記録媒体
【図１】
2006109056.tif 000003
【図２】
2006109056.tif 000004
【図３】
2006109056.tif 000005
【図４】
2006109056.tif 000006
【図５】
2006109056.tif 000007
【図６】
2006109056.tif 000008
【図７】
2006109056.tif 000009